(57)【要約】通信端末および通信セッションを確立する方法。一実施形態によれば、通信端末は、前記通信端末を第１の移動通信システムコアネットワークに登録するように構成された登録回路と、第１の移動通信システムコアネットワークまたは第２の移動通信システムコアネットワークを介して通信セッションを確立するかどうかを決定するように構成された決定回路と、決定器が第２の移動通信システムコアネットワークを介して通信セッションを確立すると決定した場合、第２の移動通信システムコアネットワークを介して通信セッションを確立するように構成されたセッション確立回路とを備え、登録回路は、第１の移動通信システムコアネットワークへの通信端末の登録を維持するように構成される。
2021503200.tif 000002
【特許請求の範囲】
【請求項１】
通信端末であって、
前記通信端末を、進化型パケットコアネットワーク（ＥＰＣ）または５Ｇコアネットワーク（５ＧＣ）である第１の移動通信システムコアネットワークに登録するように構成された登録回路と、
複数のアプリケーションを実行するアプリケーションプロセッサと、
前記第１の移動通信システムコアネットワークを介して第１の通信セッションを確立するように構成されたセッション確立回路と、
前記複数のアプリケーションのうちのアプリケーションについて、前記第１の移動通信システムコアネットワークを介して、または、進化型パケットコアネットワーク（ＥＰＣ）または５Ｇコアネットワーク（５ＧＣ）である第２の移動通信システムコアネットワークを介して、前記アプリケーションのための第２の通信セッションを確立するかどうかを決定するように構成された決定回路と、を備え、
前記セッション確立回路は、前記決定回路が前記第２の通信セッションを確立すると決定した場合、前記第１の移動通信システムコアネットワークを介した前記第１の通信セッションの確立を維持し、前記第２の移動通信システムコアネットワークを介して前記第２の通信セッションを確立するように構成され、前記登録回路は、前記通信端末の前記第１の移動通信システムコアネットワークへの登録を維持するように構成される、
通信端末。
【請求項２】
前記登録回路は、前記決定回路が前記第２の移動通信システムコアネットワークを介して前記通信セッションを確立すると決定した場合、前記通信端末を前記第２の移動通信システムコアネットワークに登録する、
請求項１に記載の通信端末。
【請求項３】
前記第１の移動通信システムコアネットワークへの登録および前記第２の移動通信システムコアネットワークへの登録は、前記通信端末の同じサブスクリプションを使用する、
請求項２に記載の通信端末。
【請求項４】
前記決定回路は、通信端末が第１の移動通信システムコアネットワークまたは第２の移動通信システムコアネットワークに通信セッション確立要求を送信する場合、前記第１の移動通信システムコアネットワークまたは第２の移動通信システムコアネットワークからの指示または応答に基づいて、前記第１の移動通信システムコアネットワークまたは前記第２の移動通信システムコアネットワークを介して通信セッションを確立するかどうかを決定するように構成される、
請求項１から３のうちのいずれか一項に記載の通信端末。
【請求項５】
コアネットワーク選択ポリシーを格納するメモリを備え、
前記決定回路は、前記通信端末が第１の移動通信システムのコアネットワークまたは第２の移動通信システムのコアネットワークへの登録手順を実行する前に、前記通信端末で利用可能な前記コアネットワーク選択ポリシーおよび／またはローカル設定に基づいて、前記第１の移動通信システムコアネットワークを介してまたは前記第２の移動通信システムコアネットワークを介して通信セッションを確立するかどうかを決定するように構成される、
請求項１から４のうちのいずれか一項に記載の通信端末。
【請求項６】
通信端末と移動通信システムのコアネットワークとの間に通信セッションを確立する方法であって、
進化型パケットコアネットワーク（ＥＰＣ）または５Ｇコアネットワーク（５ＧＣ）である第１の移動通信システムコアネットワークに登録することと、
複数のアプリケーションを実行することと、
前記第１の通信システムコアネットワークを介して第１の通信セッションを確立することと、
前記第１の移動通信システムコアネットワーク、または、進化型パケットコアネットワーク（ＥＰＣ）または５Ｇコアネットワーク（５ＧＣ）である第２の移動通信システムコアネットワークを介してアプリケーションのための第２の通信セッションを確立するかどうかを決定することと、
前記第２の移動通信システムコアネットワークを介して前記第２の通信セッションを確立すると決定された場合、前記第１の移動通信システムコアネットワークを介して確立された前記第１の通信セッションを維持し、前記第１の移動通信システムコアネットワークへの前記通信端末の登録を維持しながら、前記第２の移動通信システムコアネットワークを介して前記第２の通信セッションを確立することと、
を備える方法。
【請求項７】
前記第２の移動通信システムコアネットワークを介して前記通信セッションを確立すると決定された場合、前記通信端末を前記第２の移動通信システムコアネットワークに登録することを含む、
請求項６に記載の方法。
【請求項８】
前記通信端末の同じサブスクリプションを使用して、前記第１の移動通信システムコアネットワークを登録し、前記第２の移動通信システムコアネットワークを登録することを含む、
請求項６に記載の方法。
【請求項９】
前記通信端末が通信セッション確立要求を前記第１の移動通信システムコアネットワークまたは前記第２の移動通信システムコアネットワークに送信する場合、前記第１の移動通信システムコアネットワークからまたは前記第２の移動通信システムコアネットワークからの指示または応答に基づいて、前記第１の移動通信システムコアネットワークを介して、または前記第２の移動通信システムコアネットワークを介して通信セッションを確立するかどうかを決定することを含む、
請求項６から８のうちのいずれか一項に記載の方法。
【請求項１０】
コアネットワーク選択ポリシーを格納することと、
前記第１の移動通信システムコアネットワークまたは前記第２の移動通信システムコアネットワークに登録する前に、前記通信端末で利用可能な前記コアネットワーク選択ポリシーおよび／またはローカル設定に基づいて、前記第１の移動通信システムコアネットワークを介して、または前記第２の移動通信システムコアネットワークを介して通信セッションを確立するかどうかを決定することとを含む、
請求項６から９のいずれかに記載の方法。
【発明の詳細な説明】
【技術分野】
【０００１】
本開示は、通信端末および通信セッションを確立するための方法に関する。
【背景技術】
【０００２】
移動通信システムの事業者は、特に異なる移動通信世代、例えば、第４世代（４Ｇ）および第５世代（５Ｇ）に従って、移動通信システムに複数のコアネットワークを提供することができる。通常、モバイル通信端末は、コアネットワークの１つ、例えば４Ｇコアネットワークまたは５Ｇコアネットワークに登録される。ただし、特定のアプリケーションまたはセッションタイプが特定の世代のコアネットワークを使用することが望ましい場合がある。このような使用例には効率的なアプローチが望まれる。
【発明の概要】
【０００３】
一実施形態によれば、第１の移動通信システムコアネットワークに通信端末を登録するように構成された登録回路、第１の移動通信システムコアネットワークを介して通信セッションを確立するかどうかを決定するように構成された決定回路、および、決定者が第２の移動通信システムコアネットワークを介して通信セッションを確立することを決定した場合、第２の移動通信システムコアネットワークを介して通信セッションを確立するように構成されたセッション確立回路を含む通信端末が提供される。登録回路は、第１の移動通信システムコアネットワークへの通信端末の登録を維持するように構成される。決定回路の結果が、第２の移動通信システムコアネットワークを介して通信セッションを確立することであり、通信端末が第２の移動通信システムコアネットワークにまだ登録されていない場合、通信端末は、第２の移動通信システムを介して通信セッションを確立する前に、第２の移動通信システムへの登録を行っても行わなくてもよい。
【０００４】
さらなる実施形態によれば、上記の通信端末に従って通信セッションを確立するための方法が提供される。
【０００５】
図面において、同様の参照文字は、概して、異なる図を通して同じ部品を指す。図面は必ずしも縮尺通りではなく、代わりに一般に本発明の原理を説明することに重点が置かれている。以下の説明では、以下の図面を参照して様々な態様が説明される。
【図面の簡単な説明】
【０００６】
【図１】無線通信システムを示す。
【図２】一実施形態による、ＵＥのポリシーに基づくＥＰＣ（進化型パケットコア）および５ＧＣ（第５世代コア）における二重登録を伴う例を示すメッセージフロー図を示す。
【図３】一実施形態による、ＥＰＣおよび５ＧＣにおける二重登録を伴うコアネットワークプリファレンスの指示を伴うコアネットワークガイダンスを伴う例を示すメッセージフロー図を示す。
【図４】一実施形態による、ＥＰＣ  ＣＵＰＳ（制御およびユーザプレーン分離）アーキテクチャの接続確立のための無線通信システムを示す。
【図５】一実施形態による図５のアーキテクチャのオプションを示すメッセージフロー図を示す。
【図６】一実施形態による図５のアーキテクチャの別のオプションを示すメッセージフロー図を示す。
【図７】一実施形態による、従来のＥＰＣ（すなわち、ＣＵＰＳなし）のための５ＧＣを介した接続確立のための無線通信システムを示す。
【図８】一実施形態による図８のアーキテクチャに基づく例を示すメッセージフロー図を示す。
【図９】一実施形態による通信端末を示す。
【図１０】一実施形態による、通信セッションを確立するための方法を示すフロー図を示す。
【発明を実施するための形態】
【０００７】
以下の詳細な説明は、本発明を実施することができる本開示の特定の詳細および態様を例示として示す添付の図面を参照する。本発明の範囲から逸脱することなく、他の態様を利用することができ、構造的、論理的、および電気的な変更を行うことができる。本開示のいくつかの態様は、本開示の１つまたは複数の他の態様と組み合わせて新しい態様を形成することができるため、本開示の様々な態様は必ずしも相互に排他的ではない。
【０００８】
図１は、無線通信システム１００を示す。
【０００９】
無線通信システム１００は、ＵＥ（ユーザ端末）、ナノ機器（ＮＥ）などの無線通信端末装置１０２を含む。
【００１０】
さらに、無線通信システム１００は、複数の無線アクセスネットワークノード、すなわち５Ｇ（第５世代）無線アクセス技術（5G  New  Radio）に基づいて無線アクセスを提供するように構成された基地局、またはLTE（Long  Term  Evolution）または別のモバイル無線通信規格に準拠して無線アクセスを提供するように構成された基地局を含み得る無線アクセスネットワーク（ＲＡＮ）１０３を含む。各無線アクセスネットワークノードは、（異なる通信規格に従って動作することができる）それぞれのエアインターフェース１０１を介して無線通信端末デバイス１０２との無線通信を提供することができる。無線アクセスネットワーク１０３は、任意の数の無線アクセスネットワークノードを含んでもよい。
【００１１】
無線アクセスネットワーク１０３は、２つの４Ｇコアネットワーク、つまりＥＰＣ（Evolved  Packet  Cores）１０４、１０５と２つの５Ｇコアネットワーク（５ＧＣ）１０６、１０７を含む複数のコアネットワーク１０４、１０５、１０６、１０７と結合できる。オペレータは複数のコアネットワークを持っている場合がある。この場合、２つの４ＧコアネットワークはＥＰＣ＃１、ＥＰＣ＃２（例：ＣＩｏＴ（cellular  Internet  of  things）の専用コアネットワーク（ＤＣＮ））と表され、２つの５Ｇコアネットワークは、５ＧＣ＃３、５ＧＣ＃４（例：業種別のクラウドネイティブＣＮ）と表される。
【００１２】
さらに、異なる無線アクセスネットワークは、異なるコアネットワークと結合されてもよい。例えば、ＬＴＥ（Ｅ−ＵＴＲＡＮ）に準拠した無線アクセスネットワークは４Ｇコアネットワーク（ＥＰＣ）と結合され、５Ｇ新しい無線（Ｎｅｗ  Ｒａｄｉｏ）（５Ｇ−ＮＲ）に準拠した別の無線アクセスネットワークは５Ｇコアネットワーク（５ＧＣ）と結合される。
【００１３】
４Ｇコアネットワーク１０４、１０５のそれぞれには、ＭＭＥ（モビリティ管理エンティティ）１０８、ＳＧＷ（サービングゲートウェイ）１０９、ＰＧＷ−Ｃ（パケットデータゲートウェイ−コントロールプレーン）１１０およびＰＧＷ−Ｕ（パケットデータゲートウェイ−ユーザプレーン）１１１を有する。これらのエンティティは、少なくとも部分的に４Ｇコアネットワーク１０４、１０５間で共有できる。別の展開（この図１には示していない）は、ＰＧＷ−ＣとＰＧＷ−Ｕが、例えば、従来のＥＰＣのＰＧＷのように、同じ場所に配置され、１つのネットワークエンティティとして結合される。４Ｇコアネットワーク１０４、１０５は、複数の４Ｇコアネットワーク間で共有されてもされなくてもよいＨＳＳ（ホーム加入者サーバ）１１２をさらに含む。
【００１４】
各５Ｇコアネットワークには、ＡＭＦ（アクセスおよびモビリティ管理機能）１１３、ＳＭＦ（セッション管理機能）１１４およびＵＰＦ（ユーザプレーン機能）１１５が含まれる。これらのエンティティは、５Ｇコアネットワーク１０６、１０７の間で部分的に共有できる。５Ｇコアネットワーク１０６、１０７はさらに、５Ｇコアネットワーク間で共有されてもされなくてもよいＵＤＭ（統一データ管理）１１２を含む。
【００１５】
ＰＧＷ−Ｃ１１０およびＳＭＦ１１４は、４Ｇコアネットワーク１０４、１０５の少なくとも１つに属し、５Ｇコアネットワーク１０６、１０７の少なくとも１つに属する共通のネットワーク機能によって実装されてもよい。同様に、ＰＧＷ−Ｕ１１１およびＵＰＦ１１５ならびにＨＳＳ１１２および１１６は、それぞれの共通のネットワーク機能によって実装されてもよい。
【００１６】
４Ｇコアネットワーク１０４、１０５のＭＭＥ１０８と５Ｇコアネットワーク１０６、１０７のＡＭＦ１１３の間にインターフェース１１７が存在してもよい。３ＧＰＰ（第３世代パートナーシッププロジェクト）によると、このインターフェース１１７（Ｎ２６と表示）はオプションである。
【００１７】
さまざまな使用例について、ＵＥ１０２は、１つ以上のＰＤＮ（Ｐａｃｋｅｔ  Ｄａｔａ  Ｎｅｔｗｏｒｋ）接続（つまりＥＰＣ  １０４、１０５への接続）、および１つ以上のＰＤＵ（パケットデータユニット）セッション（つまり、異なるコアネットワークに存在する５ＧＣ  １０６、１０７への同時接続）の両方を含む複数のパケットデータ接続またはセッションを有することができることが望ましい。
【００１８】
例えば、ＵＥは、ＩＭＳ  ＶｏＬＴＥ（Internet  Protocol  Multimedia  Subsystem  Voice  over  Long  Term  Evolution）に接続するためにＥＰＣ＃１にＰＤＮ接続を有し、同時にデータ通信用に５ＧＣ＃１にＰＤＵセッションを有する必要がある。
【００１９】
このために、ＵＥ１０２が複数のパケットデータセッションまたは異なるコアネットワークへの接続を同時に持つことを可能にするメカニズムが必要である。
【００２０】
３ＧＰＰ（リリース１５）によると、ＵＥがネットワーク側（つまり、コアネットワーク１０４、１０５、１０６、１０７の１つ以上）に登録できるモードは２つある。
【００２１】
−シングル登録モード（Ｎ２６の有無にかかわらず）：ＵＥ１０２は、ＥＰＣ（つまり、４Ｇコアネットワーク１０４、１０５の一方または両方）または５ＧＣ（つまり、５Ｇコアネットワーク１０６、１０７の一方または両方）に登録されている。
−デュアル登録モード（Ｎ２６ケースがない場合のみ）：ＵＥはＥＰＣと５ＧＣの両方に登録されている。
【００２２】
ＵＥ  １０２は、コアネットワーク１０４、１０５、１０６、１０７から、Ｎ２６なしのＥＰＳ＆５ＧＳ（Evolved  Packet  System&  5G  system）インターワーキングがサポートされていることを示す情報を受信した後、シングルまたはデュアル登録を実行することを決定する。さらに、３ＧＰＰによれば、シングル登録モードのＵＥのモビリティに関して、ＵＥは全てのＰＤＵセッションをＥＰＣに移す必要があるため、この場合、異なるコアネットワークで複数のセッションを持つことはできない。デュアル登録モードのＵＥのモビリティに関して、ＵＥは、他のＰＤＵセッションを５ＧＣに維持しながら、特定のＰＤＮセッションを選択してＥＰＣに転送できる。転送するＰＤＵセッションの選択方法は、ＵＥの構成に任されており、３ＧＰＰでは指定されていない。したがって、５ＧＣでＰＤＵセッションを確立するか、ＥＰＣでＰＤＮ接続を確立するかは、ＵＥが決定する。３ＧＰＰリリース１５に従って提供されるＵＥへのネットワークガイダンスはない。
【００２３】
さらに、３ＧＰＰに従って、いわゆるＵＥルート選択ポリシー（UE  Route  Selection  Policy（ＵＲＳＰ））が提供される。これは、ＵＥが発信トラフィックのルーティング方法を決定するために使用するポリシーであり、例えば、検出されたアプリケーションを確立された（すでに存在する）ＰＤＵセッションに関連付けることができるかどうか、検出されたアプリケーションをＰＤＵセッション外の非３ＧＰＰアクセスにオフロードできるかどうか、および検出されたアプリケーションが新しいＰＤＵセッションの確立をトリガーできるかどうかを決定する。ＵＲＳＰルールには、一致基準を指定するトラフィック記述子と、次のコンポーネントの１つ以上が含まれる。
【００２４】
−ＳＳＣモード選択ポリシー（SSC  Mode  Selection  Policy（ＳＳＣＭＳＰ））：一致するアプリケーションをＳＳＣモードに関連付ける。
−ネットワークスライス選択ポリシー（Network  Slice  Selection  Policy（ＮＳＳＰ））：一致するアプリケーションをネットワークスライス選択支援情報（Network  Slice  Selection  Assistance  Information（Ｓ−ＮＳＳＡＩ））に関連付ける。
−データネットワーク名（Data  Network  Name（ＤＮＮ））選択ポリシー：一致するアプリケーションをＤＮＮに関連付ける。
−ＰＤＵセッションタイプポリシー：一致するアプリケーションをＰＤＵセッションタイプに関連付ける。
−非シームレスオフロードポリシー：一致するアプリケーションを非シームレスに非３ＧＰＰアクセス（つまり、ＰＤＵセッションの外部）にオフロードする必要があることを決定する。
−アクセスタイププリファレンス：新しいＰＤＵセッションを確立するための優先アクセスタイプ（３ＧＰＰまたは非３ＧＰＰ）を示す。
【００２５】
さらに、３ＧＰＰは緊急（ＥＭＣ）サービスのフォールバックを提供する。ＥＭＣフォールバックは、ＲＡＴフォールバック（５Ｇ  ＲＡＮはＥＭＣをサポートしないが、４Ｇ  ＲＡＮはサポートする）とＥＰＣシステムフォールバックの両方をサポートする。ＥＭＣフォールバックは、単一登録モード専用である。５Ｇ通信ネットワークがＥＭＣをサポートする場合、サポートはＴＡ（トラッキングエリア）ごとおよびＲＡＴごとの登録受領メッセージを介してＵＥに示される。５ＧＣがＥＭＣをサポートしない場合、ＵＥおよび５ＧＣは、５Ｇ  ＲＡＮがＥＭＣをサポートしていない場合に５ＧＣ（ＲＡＴフォールバック）に接続された４Ｇ  ＲＡＮ（Ｅ−ＵＴＲＡＮ）に向けて、または４Ｇネットワーク（ＥＰＣシステムに接続されたＥ−ＵＴＲＡＮ）に向けて、ＵＥを誘導またはリダイレクトするメカニズムをサポートする。
【００２６】
ＡＭＦが現在のＲＡＮの登録受領メッセージを介してＥＭＣフォールバックのサポートを示している場合、ＵＥはＥＭＣフォールバックが必要であることを示すサービス要求メッセージを送信する。ＡＭＦは、接続状態モビリティ（ハンドオーバー手順）またはアイドル状態モビリティ（リダイレクト）のいずれかにおいて、Ｎ２６可用性、ネットワーク構成、無線条件などの要因に応じて、Ｅ−ＵＴＲＡＮと５ＧＣまたはＥ−ＵＴＲＡＮとＥＰＣのいずれかに対して、Ｎ２手順をトリガーする。Ｎ２手順では、５ＧＣまたはＥＰＣでの緊急サービスのサポートに基づくＡＭＦは、ＲＡＮノードがＲＡＴ間フォールバックまたはシステム間フォールバックのどちらを実行するかを知るためのターゲットＣＮを示す場合がある。ＵＥが５Ｇ  ＲＡＮにキャンプしている場合、５Ｇ  ＲＡＮがＮＧ  ＲＡＮ間のＮ２ベースのハンドオーバーまたは５ＧＣに接続されたＥ−ＵＴＲＡＮセルへのリダイレクトを開始するか、または、５Ｇ  ＲＡＮがＮ２６手順でＥＰＳへのハンドオーバーまたはＥＰＳに接続されたＥ−ＵＴＲＡＮへのリダイレクトを開始する。ハンドオーバー後、ＵＥはＥＭＣサービスのＰＤＮ接続を確立し、ＩＭＳ  ＥＭＣサービスを確立するためのＩＭＳ手順を実行する。ＥＭＣフォールバックが実行されると、既存のＰＤＵセッションが終了する。
【００２７】
３ＧＰＰに従って提供されるもう１つの機能は、ＩＭＳ音声サービスフォールバックである。それは、５ＧＣに接続された５Ｇ  ＲＡＮから５ＧＣに接続されたＥ−ＵＴＲＡＮ（ＲＡＴフォールバック）またはＥＰＳ（ＥＰＣシステムフォールバックに接続されたＥ−ＵＴＲＡＮ）へのＵＥのリダイレクトをサポートする。サービングＡＭＦは、登録手順中に、ＩＭＳボイスオーバーＰＳセッションがサポートされていることをＵＥに通知する。ＩＭＳ音声のＱｏＳフローを確立する要求が５Ｇ  ＲＡＮに到達した場合、５Ｇ  ＲＡＮはその要求を拒否し、ＵＥの機能、Ｎ２６の可用性、ネットワーク構成、および無線状態に応じて、次の手順のいずれかをトリガーする。
【００２８】
−ＥＰＳへのリダイレクト；
−ＥＰＳへのハンドオーバー手順；
−５ＧＣに接続されたＥ−ＵＴＲＡＮへのリダイレクト；または
−５ＧＣに接続されたＥ−ＵＴＲＡＮへのハンドオーバー。
【００２９】
例えば、５Ｇ  ＲＡＮは５ＧＣからＩＭＳ音声のＱｏＳフローを確立するための要求を受信し、５Ｇ  ＲＡＮはＥＰＳへのＩＭＳフォールバックをトリガーすることを決定する。５Ｇ  ＲＡＮは、ターゲットとしてＥ−ＵＴＲＡＮを含むＵＥからのメジャーレポート送信請求を開始できる。５Ｇ  ＲＡＮは、ＩＭＳ音声フォールバックによるモビリティが進行中であることを示すＡＭＦ経由のＩＭＳ音声のＱｏＳフローを設定するためのＰＤＵセッションの変更を拒否し、Ｎ２６手順でＥＰＳへのハンドオーバーを開始するか、ＥＰＳへのシステム間リダイレクトを介してネットワークリリースにアクセスする。ＵＥは、５ＧＳからＥＰＳへのハンドオーバーのケースと、Ｎ２６を使用したＥＰＳへのシステム間リダイレクトのケースについて、トラッキングエリアアップデート（Tracking  Area  Update（ＴＡＵ））手順を開始する。Ｎ２６を使用しないＥＰＳへのシステム間リダイレクトの場合、ＵＥは、要求タイプが「５ＧＣからのハンドオーバー」のＰＤＮ接続要求を使用して、アタッチ手順を開始する。
【００３０】
以下では、様々な実施形態に従って、異なるモバイルネットワーク（例えば、４Ｇおよび５Ｇネットワーク）の複数のコアネットワークへの同時通信サービスまたはセッションをサポートするためのアプローチが説明される。特に、様々な実施形態は、特定のアプリケーションまたはサービスについて４ＧＣへのフォールバックを実行しながら５ＧＣでＰＤＵセッションを維持することを可能にする。様々な実施形態によれば、コアネットワークおよび無線アクセスネットワークフォールバックの両方がサポートされる。さらに、様々な実施形態によれば、二重登録がサポートされる。
【００３１】
様々な実施形態は、特定のアプリケーションまたはサービスについて４ＧＣへのフォールバックを実行しながら５ＧＣで進行中のＰＤＵセッションのみを維持することを説明するが、本明細書で説明されるアプローチは、逆方向にも適用できる、すなわち、特定のアプリケーションまたはサービスの５ＧＣへのＰＤＮ接続要求の転送を実行しながら、４ＧＣで継続中のＰＤＮ接続を維持することができる。
【００３２】
さらに、図１はコンボノードのみを示し、５ＧＣとＥＰＣのネットワークエンティティが同じ場所に配置され、ＥＰＣと５ＧＣ間のインターワーキングをサポートする。これは、特に、ＵＥがソースＣＮとは異なるターゲットＣＮに再配置されるとき、例えば、ＵＥがＵＥモビリティイベントのために５ＧＣからＥＰＣに再配置される必要があるときに、セッションの継続性またはサービスの継続性をサポートするためである。しかし、実際には、ここで説明するアプローチは、ＥＰＣと５ＧＣのネットワークエンティティが同じ場所に配置されておらず、コンボノードと見なされない場合にも適用できる。一例は、ＵＥが５ＧＣへのインターネットサービスにアクセスするためのＰＤＵセッションを確立し、その後、ＵＥがＩＭＳサービスのための新しいセッションを確立するための要求をＥＰＣに送信する場合である。この例では、このＵＥのインターネットサービスに割り当てられたＳＭＦとＵＰＦは必ずしもコンボノードである必要ない。つまり、インターネットサービスのセッション継続性やサービス継続性は必要ないので、ＳＭＦとＵＰＦにそれぞれＰＧＷ−ＣとＰＧＷ−Ｕが配置されていない場合がある。一方、ＩＭＳサービスの場合、オペレータのポリシーと顧客とのＩＭＳサービスのサービスレベルアグリーメント（ＳＬＡ）に応じてセッションとサービスの継続性が必要になる場合があるが、このＩＭＳサービスに割り当てられたＳＭＦとＵＰＦは、同じ場所のＰＧＷ−ＣとＰＧＷ−Ｕ機能を有する。これを可能にするために、ＵＥがＰＤＵセッション確立要求を５ＧＣに送信するときに、ＤＮＮを考慮してＳＭＦおよびＵＰＦ選択が実行できる。
【００３３】
図２は、ＵＥのポリシーに基づくＥＰＣおよび５ＧＣにおける二重登録の例を示すメッセージフロー図２００を示す。
【００３４】
ＵＥ２０１（例えば、ＵＥ１０２に対応）、ＲＡＮ２０２（例えば、ＲＡＮ１０３に対応）、ＥＰＣ２０３（例えば、ＥＰＣ１０４、１０５のうちの１つに対応）および５ＧＣ２０４（例えば、５ＧＣ１０６、１０７のうちの１つに対応））は、メッセージフローに関与している。
【００３５】
２０５において、ＵＥ２０１は、ＲＡＮ２０２を介して５ＧＣ２０４に登録する。
【００３６】
２０６で、ＵＥ２０１は、ＲＡＮ２０２を介してＥＰＣ２０３にアタッチ要求を送信する。アタッチ要求により、ＵＥ２０１は、５Ｇ  ＮＡＳ機能をサポートすることを示すことができる。
【００３７】
２０７では、ＥＰＣ２０３は、Ｎ２６なしのインターワーキング（interworking（ＩＷＫ））サポートの指示を含み得るアタッチ受け付けによって応答する。Ｎ２６無しのインターワーキングサポートの指示は、例えば、ＵＥが例えば登録受諾メッセージにおいて５ＧＣに登録している間に、既に５ＧＣ２０４によってＵＥに提供されてもよい。そのような場合、ＥＰＣ２０３は、Ｎ２６なしでこのＩＷＫ指示サポートを提供する必要がなくてもよい。
【００３８】
したがって、ＵＥ２０１は、４Ｇコアネットワーク２０３および５Ｇコアネットワーク２０４の両方に登録される。
【００３９】
２０８において、ＵＥはＩＭＳのためのセッションを確立することを望み、それはＵＥ２０１のポリシーまたは設定に基づいて、例えばＵＥ２０１のメモリに格納される。ＵＥは、ＩＭＳセッションのためにＥＰＣ２０３への接続をセットアップするように構成される。
【００４０】
したがって、２０９で、ＵＥ２０１は、ＰＤＮ接続要求をＥＰＣ２０３に送信する。ＥＰＣ２０３は、２１０でのＰＤＮ接続受け付けによって応答する。
【００４１】
さらに、２１１において、ＵＥはインターネットアクセスのためのセッションを確立することを望んでいると仮定する。ポリシーまたはＵＥ２０１の設定に基づいて、例えばＵＥ２０１のメモリに記憶されている場合、ＵＥは、インターネットアクセスセッションのために５ＧＣ２０４への接続をセットアップするように構成される。
【００４２】
したがって、２１２では、ＵＥ２０１は、ＰＤＵセッション確立要求を５ＧＣ２０４に送信する。５ＧＣ２０４は、２１３で、ＰＤＵセッション確立受け入れによって応答する。
【００４３】
要約すると、図２のアプローチによれば、ＵＥ２０１は、ＥＰＣにおけるＰＤＮ接続または５ＧＣにおけるＰＤＵセッションを確立する前に、ＥＰＣ２０３および５ＧＣ２０４の両方に登録される。ＵＥ２０１で実行されているアプリケーションごと（またはＵＥ２０１が要求する可能性があるセッションタイプまたは通信サービスごと）に、どのアプリケーション（またはセッションタイプまたは通信サービス）がどのＣＮ（この例では４Ｇまたは５Ｇのいずれか）を引き起こすかを特定するポリシーまたは設定がＵＥに示されている場合がある。ＵＥ２０１に格納されたポリシーは、例えば、第１のアプリケーションａｐｐ＃１が５ＧＣの特定のＳ−ＮＳＡＩにマッピングされ、第２のアプリケーションａｐｐ＃２が特定のＤＣＮ−ＩＤにマッピングされることを示すことができる。
【００４４】
ＵＥ２０１がどのコアネットワークを介してセッションまたはサービスが要求されるべきかを決定することに基づくポリシーは、例えば、ＵＳＲＰルールによって格納されてもよい。２つの（または類似の）アプリケーションの例を表１に示す。
【００４５】
【表１】
2021503200.tif 000003
【００４６】
見て分かるように、各アプリケーションについて、コアネットワークプリファレンスは、ＵＥ２０１がどのコアネットワークからアプリケーションのセッションまたは通信サービスを要求するかの決定に基づいて示される。ＵＲＳＰルールに追加されたこれらのパラメータは、４Ｇ  ＮＡＳと５Ｇ  ＮＡＳのどちらを使用するかを示すＮＡＳプリファレンスなどの異なる名前で呼び出される場合がある。
【００４７】
ＵＥ２０１がまだＥＰＣ２０３に登録されていないが、特定のアプリケーションのためのＰＤＮ接続を確立したい場合、これは、ＵＥ２０１がＥＰＣに登録するためのトリガーとなり得る。これは図２には示されておらず、代わりに、ＵＥ２０１が２０７の後に両方のコアネットワークに登録されている。
【００４８】
３ＧＰＰである一実施形態によれば、図２のアプローチは、Ｎ２６インターフェース１１７がない場合にのみ機能する（そのときのみ、３ＧＰＰに従って二重登録（ＤＲ）が許可される）。しかし、一実施形態によれば、ＵＥが５ＧＣ２０４への登録手順を実行するとき、またはＵＥ２０１がＥＰＣ２０３へのアタッチ手順を実行するとき、実際にはたとえネットワークにはＮ２６インターフェースが配備されていても、ネットワーク側は、Ｎ２６なしのインターワーキングサポートの指示をＵＥ２０１に送信できる。これを行う理由の１つは、ＵＥが異なるＣＮで同時にサービスを持つことができるようにすることである。ネットワーク側は、ＵＥ２０１がＤＲモードで動作する必要があることを認識している。
【００４９】
さらに、２０８の前に、ＵＥ２０１は別のＰＤＵセッション、例えばインターネットセッションを確立することができる。ＩＭＳセッションがＥＰＣ２０３を介して確立されている場合でも、この他のセッションは５ＧＣ２０４を介して維持されてもよい。
【００５０】
図３は、ＥＰＣおよび５ＧＣにおける二重登録を伴うＣＮプリファレンスの指示を伴うコアネットワークガイダンスを伴う例を示すメッセージフロー図３００を示す。
【００５１】
図２のように、ＵＥ３０１（例えば、ＵＥ１０２に対応）、ＲＡＮ３０２（例えば、ＲＡＮ１０３に対応）、ＥＰＣ３０３（例えば、ＥＰＣ１０４、１０５のうちの１つに対応）および５ＧＣ３０４（例えば、５ＧＣの１０６、１０７のうちの１つに対応）がメッセージフローに関与している。
【００５２】
３０５で、ＵＥ３０１は、ＲＡＮ３０２を介して５ＧＣ３０４に登録する。この例では、ＵＥは最初に５ＧＣ３０４に登録される（すなわち、５ＧＣは最初のコアネットワークである）。
【００５３】
３０６では、ＵＥ３０１が５ＧＣ３０４とのＩＭＳのためのＰＤＵセッションを確立することを決定すると想定される。
【００５４】
したがって、３０７において、ＵＥ３０１は、（ＩＭＳアクセスポイント名（ＡＰＮ）を用いて）ＰＤＵセッション確立要求を５ＧＣ３０４に送信する。
【００５５】
３０８では、ＰＤＵセッション確立要求に応答して、５ＧＣ３０４は、５ＧＣ３０４のオペレータのポリシーおよび／または５ＧＣ３０４内のＵＥのためのＰＤＵセッション、例えばＳＭＦ１１４の確立を担当するネットワークエンティティで利用可能なローカル設定に基づいて、このＰＤＵセッションが（第２のコアネットワークとして）ＥＰＣを介して確立されるべきかどうかをチェックする。チェックは、例えば５ＧＣのＵＤＭ１１６に格納されたＵＥのサブスクリプションに基づいてもよい。ＵＥのサブスクリプションは、ＳＭＦ１１４またはＡＭＦ１１３によって取得できる。ＰＤＵセッションをＥＰＣ経由で確立する必要がある場合、それぞれのＳＭＦ１１４は、次の２つのオプションのいずれかを実行できる。
【００５６】
オプション１：ＳＭＦ１１４は、確立するＰＤＵセッションが５ＧＣでは不可能であるため拒否されたという新しい原因でＰＤＵセッションの確立を拒否する。ただし、代わりに他のＣＮ（ＥＰＣなど）で確立する必要がある。
オプション２：ＳＭＦ１１４は、ＵＥに対するこのＰＤＵセッションにＥＰＣを使用するプリファレンスを示す。これは、図の例では３０９である。
【００５７】
したがって、３１０で、ＵＥ３０１は、３１０でアタッチ要求を送信し、３１１、３１２でアタッチ応答を受信することにより、ＥＰＣ３０３に登録し、ＵＥが以前に５ＧＳ３０４で要求した拒否されたＰＤＵセッションのＰＤＮ接続をセットアップすることにより、ＥＰＣ３０３へのＩＭＳのセッションの確立を開始する。このために、ＵＥ３０１は、３１３でのＰＤＮ接続の受け入れによってＥＰＣが応答する３１３で、ＥＰＣ３０３にＰＤＮ接続要求を送信する。
【００５８】
ＳＭＦ１１４からシグナリングを受信した後にＵＥ３０１が実際にＥＰＣ３０３への登録を実行するかどうかは、ＵＥ構成またはＵＥ３０１で利用可能なポリシーに依存してもよい。
【００５９】
さらに、３０６の前に、ＵＥは、例えば、別のＰＤＵセッション、例えば５ＧＣ３０４を介したインターネットセッションを確立してもよい。ＩＭＳセッションがＥＰＣ３０３を介して確立される（すなわち、ＥＰＣにリダイレクトされる）場合であっても、この他のセッションは５ＧＣ３０４を介して維持されてもよい。
【００６０】
図２のアプローチと同様に、図３のアプローチはデュアル登録を必要とするため、Ｎ２６インターフェース１１７がない場合にのみ機能してもよい（それ以来、３ＧＰＰに従ってデュアル登録（ＤＲ）が許可される）。しかし、一実施形態によれば、ネットワーク側は、ＵＥが５ＧＣ２０４への登録手順を実行するとき、またはＵＥ２０１がＥＰＣ２０３へのアタッチ手順を実行するとき、実際にはネットワークにＮ２６インターフェースが配備されていても、Ｎ２６なしのインターワーキングサポートの指示をＵＥ２０１に送信する。これを行う理由の１つは、ＵＥが異なるＣＮで同時にサービスを持つことができるようにすることである。ネットワーク側は、ＵＥ３０１がＤＲモードで動作する必要があることを認識している。
【００６１】
図４は、ＥＰＣ  ＣＵＰＳ（制御およびユーザプレーン分離（control  and  user  plane  separation））アーキテクチャのためのＳＭＦを介したＰＤＮ接続確立のための無線通信システム４００を示す。
【００６２】
図１の無線通信システム１００と同様に、無線通信システム４００は、ＵＥ４０２、ＲＡＮ４０３、ＥＰＣ４０４、４０５および５ＧＣ４０６、４０７を含む。さらに、図１を参照して説明したように、ＥＰＣ４０４、４０５は、ＭＭＥ４０８、ＰＧＷ−Ｃ４１０、ＰＧＷ−Ｕ４１１を含み、５ＧＣ４０６、４０７はＡＭＦ４１３、ＳＭＦ４１４、ＵＰＦ４１５を含む。この例では、図１とは対照的に、ＳＧＷはＳＧＷ−Ｃ（ＳＧＷ制御プレーン）４１８および１つまたは複数のＳＧＷ−Ｕ（ＳＧＷユーザプレーン）４１９に分かれる。図示のように、ＳＧＷ−Ｃ４１８は、ＰＧＷ−Ｃ４１０およびＳＭＦ４１４を有するコンボネットワーク機能４２０に結合されてもよい。
【００６３】
さらに、コンボネットワーク機能４２０およびＳＧＷ−Ｕ４１９と、コンボネットワーク機能４２０およびＰＧＷ−Ｕ４１１との間のインターフェースが導入される。これらは、ＥＰＣ  ＣＵＰＳのＳｘａおよびＳｘｂに類似している可能性があり、それぞれＳｘａおよびＳｘｂとも表記される。
【００６４】
一実施形態によれば、ＵＥ１０２は、最初は５ＧＣのみに登録されており、５ＧＣおよびＥＰＣの両方には登録されていない。コンボネットワーク機能４２０は、５ＧＣパラメータをＥＰＣパラメータに変換する。
【００６５】
コンボネットワーク機能４２０は（例えば、そのＳＭＦの役割において）、ＵＥ４０２からＥＰＣに向けてセットアップするためのＰＤＵセッションを受信するときに、Ｓｘａ、Ｓｘｂを介してＰＤＮ接続をセットアップする。
【００６６】
一実施形態によれば、図５および６に示されている２つのオプションがある。
【００６７】
図５は、ＳＭＦ４１４のポリシーに基づく図４のアーキテクチャのオプションを示すメッセージフロー図５００を示す。ＳＭＦ４１４は、Ｓｘａインターフェースの助けを借りて、ＳＧＷ−Ｕ４１９を介してＥＰＣでセッションを確立することを決定する。
【００６８】
メッセージフローは、ＵＥ５０１（例えば、ＵＥ４０２に対応）、ＲＡＮ５０２（例えば、ＲＡＮ４０３に対応）、ＡＭＦ５０３（例えば、ＡＭＦ４１３に対応）、ＳＭＦ＋ＰＧＷ−Ｃ５０４（例えば、コンボネットワーク機能４２０）、ＳＧＷ−Ｕ５０５（例えば、ＳＧＷ−Ｕ４１９に対応する）およびＰＧＷ−Ｕ５０６（例えば、ＰＧＷ−Ｕ４１１に対応する）間で生じる。
【００６９】
５０７で、ＵＥ５０１は５ＧＣに登録する。
【００７０】
５０８において、ＵＥ５０１は、ＩＭＳのためのセッションを確立することを意図する。
【００７１】
このため、５０９において、ＵＥ５０１は、ＰＤＵセッション確立要求を５ＧＣに送信し、ＡＭＦ５０３が要求をＳＭＦ＋ＰＧＷ−Ｃ５０４に転送する。
【００７２】
５１０において、５ＧＣのオペレータのポリシーに基づいて、ＳＭＦ（＋ＰＧＷ−Ｃ）５０４は、ＥＰＣへのセッションをセットアップし、どのＳＧＷ−ＵおよびＰＧＷ−ＵがＰＤＮ接続を確立すべきかを選択する。
【００７３】
５１１において、ＳＭＦ５０４は、選択されたＳＧＷ−Ｕ５０５とＳｘセッション確立要求および応答を交換する。
【００７４】
５１２において、ＳＭＦ５０４は、選択されたＰＧＷ−Ｕ５０６とＳｘセッション確立要求および応答を交換する。
【００７５】
５１３で、ＳＭＦ５０４は、ＰＤＵセッション確立受け付けをＵＥ５０１に送信する。
【００７６】
ＵＥ５０１は、ＰＤＵセッションがＥＰＣを介してセットアップされていること、およびＳＭＦ５０４がＲＡＮ、ＳＧＷ−Ｕ、およびＰＧＷ−Ｕのトポロジを知っているべきであることを認識していない。
【００７７】
図６は、ＵＥ４０２で利用可能なポリシーまたはローカル設定に基づいて、ＵＥ４０２が５ＧＣを介してＥＰＣでセッションを確立することを決定する、図４のアーキテクチャのオプションを示すメッセージフロー図６００を示す。ＳＭＦ４１４は、ＵＥ４０２からこの指示を受信し、したがって、ＳｘａおよびＳｘｂインターフェースを使用してＥＰＣへのセッションを確立する。
【００７８】
図５と同様に、メッセージフローは、ＵＥ６０１（例えば、ＵＥ４０２に対応）、ＲＡＮ６０２（例えば、ＲＡＮ４０３に対応）、ＡＭＦ６０３（例えば、ＡＭＦ４１３に対応）、ＳＭＦ＋ＰＧＷ−Ｃ６０４（例えば、コンボネットワーク機能４２０に対応）、ＳＧＷ−Ｕ６０５（例えば、ＳＧＷ−Ｕ４１９に対応）、およびＰＧＷ−Ｕ６０６（例えば、ＰＧＷ−Ｕ４１１に対応）間で生じる。
【００７９】
６０７において、ＵＥ６０１は５ＧＣに登録する。
【００８０】
６０８において、ＵＥ６０１は、ＩＭＳのためのセッションを確立することを意図する。ＵＥに格納されたローカル設定、またはＵＥ６０１に格納された、またはＵＥ６０１に通信されたオペレータのポリシーに基づいて、ＵＥ６０１は、セッションがＥＰＣに向けてセットアップされることを示すことを決定する。
【００８１】
したがって、６０９で、ＵＥ６０１は、ＰＤＦセッション確立要求を５ＧＣに送信し、ＡＭＦ６０３は、ＳＭＦ＋ＰＧＷ−Ｃ６０４に転送し、この要求は、セッションがＥＰＣで確立されるべきであることを示す。
【００８２】
６１０において、６０９のリクエストでの指示により、ＳＭＦ（＋ＰＧＷ−Ｃ）６０４は、ＥＰＣへのセッションをセットアップし、どのＳＧＷ−ＵおよびＰＧＷ−ＵがＰＤＮ接続を確立すべきかを選択する。
【００８３】
６１１において、ＳＭＦ６０４は、選択されたＳＧＷ−Ｕ６０５とＳｘセッション確立要求および応答を交換する。
【００８４】
６１２において、ＳＭＦ６０４は、選択されたＰＧＷ−Ｕ６０６とＳｘセッション確立要求および応答を交換する。
【００８５】
６１３において、ＳＭＦ６０４は、ＰＤＵセッション確立受け付けをＵＥ６０１に送信する。
【００８６】
図５のオプションのように、ＵＥ６０１は、ＰＤＵセッションがＥＰＣを介してセットアップされていること、およびＳＭＦ６０４がＲＡＮ、ＳＧＷ−ＵおよびＰＧＷ−Ｕのトポロジを知っているべきであることを知らない。
【００８７】
図７は、従来のＥＰＣ（すなわち、ＣＵＰＳなし）のための５ＧＣを介したＰＤＮ接続確立のための無線通信システム７００を示す。
【００８８】
図１の無線通信システム１００と同様に、無線通信システム７００は、ＵＥ７０２、ＲＡＮ７０３、ＥＰＣ７０４、７０５および５ＧＣ７０６、７０７を含む。さらに、図１を参照して説明したように、ＥＰＣ７０４、７０５は、ＭＭＥ７０８、ＳＧＷ−８０９、ＰＧＷ−Ｃ７１０およびＰＧＷ−Ｕ７１１を含み、５ＧＣ７０６、７０７は、ＡＭＦ７１３、ＳＭＦ７１４およびＵＤＦ７１５を含む。
【００８９】
ＳＭＦ７１４とＳＧＷ７０９の間のインターフェースが導入された。これは、Ｓ１１インターフェースに類似している場合があり、したがってＳ１１とも表記される。
【００９０】
一実施形態によれば、最初に、ＵＥ７０１は、ＥＰＣおよび５ＧＣの両方に登録されず、５ＧＣにのみ登録される。
【００９１】
ＳＭＦ７１４は、ＵＥ４０１からＥＰＣ４０４、４０５のうちの１つに向けてＰＤＵセッションをセットアップする要求を受信すると、Ｓ１１インターフェースを介してＥＰＣにＰＤＮ接続をセットアップする。
【００９２】
ＳＭＦ７１４のポリシーに基づいて、ＳＭＦ７１４は、ＳＧＷ７０９（例えば、Ｓｘａインターフェースが用いられたＳＧＷ−Ｕ）を介してＥＰＣでセッションを確立することを決定する。
【００９３】
図８は、図７のアーキテクチャに基づく例を示すメッセージフロー図８００を示す。
【００９４】
メッセージフローは、ＵＥ８０１（例えば、ＵＥ７０２に対応する）、ＲＡＮ８０２（例えば、ＲＡＮ７０３に対応する）、ＡＭＦ８０３（例えば、ＡＭＦ７１３に対応）、ＳＭＦ＋ＰＧＷ−Ｃ８０４（例えば、コンボネットワーク機能７２０）、ＳＧＷ８０５（例えば、ＳＧＷ−Ｕ７０９に対応する）、およびＰＧＷ−Ｃ＋ＰＧＷ−Ｕ８０６（例えば、ＰＧＷ−Ｃ７１０およびＰＧＷ−Ｕ７１１を組み合わせたネットワーク機能に対応する）間に生じる。
【００９５】
８０７において、ＵＥ８０１は５ＧＣに登録する。
【００９６】
８０８において、ＵＥ８０１は、ＩＭＳのためのセッションを確立することを意図する。
【００９７】
このために、８０９で、ＵＥ８０１は、ＰＤＦセッション確立要求を５ＧＣに送信し、それをＡＭＦ８０３がＳＭＦ＋ＰＧＷ−Ｃ８０４に転送する。
【００９８】
８１０において、５ＧＣのオペレータのポリシーに基づいて、ＳＭＦ（＋ＰＧＷ−Ｃ）８０４は、ＥＰＣへのセッションをセットアップし、どのＳＧＷ−ＵおよびＰＧＷ−ＵがＰＤＮ接続を確立すべきかを選択する。
【００９９】
８１１において、ＳＭＦ８０４は、セッション確立要求および応答を、選択されたＳＧＷ−Ｕ８０５および選択されたＰＧＷ−Ｕ８０６と交換する。
【０１００】
８１２において、ＳＭＦ８０４は、ＰＤＵセッション確立受け付けをＵＥ８０１に送信する。
【０１０１】
ＵＥ８０１は、ＰＤＵセッションがＥＰＣを介してセットアップされていること、およびＳＭＦ８０４がＲＡＮ、ＳＧＷ−Ｕ、およびＰＧＷ−Ｕのトポロジを知っているべきであることを認識していない。
【０１０２】
さらに、図４から８のアプローチは、図２から４を参照して説明したアプローチよりも、導入されたインターフェースと既存の手順の変更により、現在のＥＰＳ／５ＧＳアーキテクチャに大きな影響を与える。
【０１０３】
要約すると、様々な実施形態によれば、図９に示すように通信端末が提供される。
【０１０４】
図９は、通信端末９００を示す。
【０１０５】
通信端末９００は、通信端末を第１の移動通信システムコアネットワークに登録するように構成された登録回路９０１を含む。さらに、通信端末を第２の移動通信システムコアネットワークに登録するように構成されてもよい。
【０１０６】
通信端末９００は、第１の移動通信システムコアネットワークを介して、または第２のモバイル通信を介して通信セッションを確立する（例えば、通信サービスまたは通信端末９００上で実行されるアプリケーションについて）かどうかを決定するように構成される決定回路９０２をさらに含む。システムコアネットワーク。決定を可能にする情報入力は、通信端末９００において利用可能なローカル情報、例えば、ＵＥにおけるローカル設定またはローカルポリシーであってもよい。ＵＥにおけるローカルポリシーについては、これは、通信ネットワークによって提供され、または通信ネットワークによって更新されてもよく、通信端末９００においてプレインストールされてもよい。あるいは、決定を可能にする情報入力は、異なる機会に通信ネットワークによって提供することができ、例えば、ＵＥがＩＭＳサービスのための５ＧＣに向けてＰＤＵセッションを確立する要求を送信するとき、通信ネットワークは、ＵＥに対して、前の実施形態の１つで説明したように、ＩＭＳサービスのターゲットＣＮプリファレンスについての指示を提供することができる。
【０１０７】
通信端末９００は、決定回路９０２が第２の移動通信システムコアネットワークを介して通信セッションを確立すると決定した場合、第２の移動通信システムコアネットワークを介して通信セッションを確立するように構成されたセッション確立回路９０３をさらに含む。９０１は、第１の移動通信システムコアネットワークへの通信端末の登録を維持するように構成される。これは、通信端末が、第２の移動通信システムコアネットワークを介して通信セッションを確立する（例えば、使用する）間、第１の移動通信システムコアネットワークへの通信端末の登録を維持することを意味する。通信端末の第１の移動通信システムコアネットワークへの登録は、第２の移動通信システムコアネットワークを介した通信セッションがまだ確立されている可能性がある期間の後で解放されてもよい。これは、ある期間、通信端末が両方の移動通信システムのコアネットワークに登録されていることを意味する。
【０１０８】
セッション確立回路９０３は、第１の移動通信システムコアネットワークを介して以前の通信セッションを確立するように構成され得る（例えば、第２の移動通信システムコアネットワークを介して確立する通信セッションが要求される前（後）でさえ）。この以前の通信セッションは、後の通信セッションが第２の移動通信システムコアネットワークを介して確立された（例えば、第2の移動通信システムコアネットワークにリダイレクトされる）場合でも、第１の移動通信システムコアネットワークを介して保持される。
【０１０９】
様々な実施形態によれば、言い換えると、通信端末は、第２のコアネットワーク（例えば、４ＧＣ）とのセッションを確立した場合でも、第１のコアネットワーク（例えば、５ＧＣ）での登録を維持する。したがって、通信端末は両方のコアネットワークに登録され、両方のコアネットワークで同時にセッションを持つことができる。コアネットワークは、３ＧＰＰ（例えば、リリース１５）によるコアネットワークであってもよく、通信端末は、３ＧＰＰに従って動作するように構成されてもよい。
【０１１０】
コアネットワークは、例えば、１つ以上の移動無線通信システム（例えば、同じオペレータ）のコアネットワークである。
【０１１１】
登録回路９０１は、セッション確立回路が第２の（移動通信システム）コアネットワークとのセッションを確立するときでさえ、第１の（移動通信システム）コアネットワークへの登録を維持してもよい。登録回路９０１は、セッション確立回路による第２のコアネットワークとのセッション確立を許可するために、または通信端末がセッションを確立しようとする前に（例えば、通信端末で実行中のアプリケーションによる要求に応じて）第２のコアネットワークとの登録を実行する。第１のコアネットワークおよび第２のコアネットワークへの登録は、同じサブスクリプションに基づくことができる。これは、第１のコアネットワークと第２のコアネットワークが同じ移動通信システム（例えば、同じ事業者）に属し、通信端末が両方のコアネットワークを使用できるようにする移動通信システムへのサブスクリプションを有することを意味する。通信端末は、例えば、サブスクリプションに対応する加入者識別モジュールを含んでいてもよい。
【０１１２】
決定回路９０２は、例えば、第１のコアネットワークを介した通信セッションの確立の要求に対する第１のコアネットワークからの拒否に応答して、または通信端末で利用可能なローカル設定または（ローカル）ポリシーを考慮に入れて、第２のコアネットワークを介して通信セッションを確立すべきであることを判定（すなわち決定）してもよい。言い換えると、通信セッションの確立のための通信端末からの要求（例えば、通信端末で実行されている特定のアプリケーションのための）は、第1コアネットワークによって第2コアネットワークにリダイレクトされる。特に、ネットワーク側は、通信端末を特定のコアネットワークに導くことができる。
【０１１３】
コアネットワークへの登録は、例えば、ＥＰＣのアタッチ要求によってコアネットワークに接続することを意味するか、または、例えば５ＧＣの登録要求によってコアネットワークに登録することを意味する。
【０１１４】
通信セッションは、通信サービスを使用するために通信端末上で実行されているアプリケーションによって要求され得る。アプリケーションは、例えば、セッションのタイプ（または通信サービスのタイプ）を示してもよく、決定器（すなわち、決定回路）は、そのタイプに基づいて、通信セッションに使用するコアネットワークを決定してもよい。決定器は、アプリケーションに基づいて（例えば、アプリケーションのＩＤに基づいて）、通信セッションに使用するコアネットワークを決定してもよい。例えば、通信端末のメモリは、アプリケーション（例えば、アプリケーションＩＤ）とコアネットワークとの関連付けを有するルックアップテーブルを格納することができる。
【０１１５】
通信端末の構成要素（例えば、登録回路、決定回路およびセッション確立回路）は、例えば、１つ以上の回路によって実装されてもよい。「回路」は、任意の種類の論理実装エンティティとして理解されてもよく、メモリ、ファームウェア、またはそれらの任意の組合せに格納された専用回路またはプロセッサ実行ソフトウェアであってもよい。したがって、「回路」は、ハードワイヤード論理回路またはプログラム可能なプロセッサ（例えばマイクロプロセッサ）などのプログラム可能な論理回路であってもよい。「回路」は、また、ソフトウェア（例えばあらゆる種類のコンピュータプログラム）を実行するプロセッサであってもよい。上述のそれぞれの機能の他の種類の実装も、「回路」として理解されてもよい。特に、登録回路、決定回路およびセッション確立回路は、単一のプロセッサ、例えばセルラー通信スタックを実装する通信端末のプロセッサにより実装されてもよい。
【０１１６】
通信デバイスは、携帯電話などの加入者端末であってもよく、例えば、少なくとも部分的に、例えばモデム（例えば、ＬＴＥおよび５Ｇモデム）、ベースバンドプロセッサ、または他のトランシーバーコンポーネント、またはアプリケーションプロセッサによって少なくとも部分的に実装され得るトランシーバによって実装されてもよい。通信デバイスは、例えば、携帯電話などの通信端末（例えば、ＵＥ）であってもよく、トランシーバ（例えば、ベースバンドプロセッサ、１つまたは複数のフィルタ、送信チェーン、受信チェーン、増幅器を含む）、アンテナ、加入者識別モジュール、アプリケーションプロセッサ、メモリ、ディスプレイ、バッテリー、スピーカー、マイクなどの典型的な通信端末デバイスを含んでもよい。
【０１１７】
図１０は、通信セッションを確立するための方法（例えば通信端末によって実行される）を例示するフロー図１０００を示す。
【０１１８】
１００１において、通信端末は、第１の移動通信システムコアネットワークに登録する。
【０１１９】
１００２において、通信端末は、第１の移動通信システムコアネットワークまたは第２の移動通信システムコアネットワークを介して通信セッションを確立するかを決定する。
【０１２０】
１００３において、通信端末は、第２の移動通信システムコアネットワークを介して通信セッションを確立すると決定された場合、第１の移動通信システムコアネットワークへの通信端末の登録を維持しながら、第２の移動通信システムコアネットワークを介して通信セッションを確立する。
【０１２１】
以下にさまざまな例を示す。
【０１２２】
例１は、図９に示す通信端末である。
【０１２３】
例２は、例１の通信端末であり、登録回路は、決定器が第２の移動通信システムコアネットワークを介して通信セッションを確立すると決定した場合、通信端末を第２の移動通信システムコアネットワークに登録するように構成される。
【０１２４】
例３は、例２の通信端末であり、第１の移動通信システムコアネットワークへの登録および第２の移動通信システムコアネットワークへの登録に、通信端末の同じサブスクリプションを使用する。
【０１２５】
例４は、例１〜３のいずれか１つの通信端末であり、決定器は、通信端末が通信セッション確立要求を第１の移動通信システムコアネットワークまたは第２の移動通信システムコアネットワークに送信する場合の、第１の移動通信システムコアネットワークまたは第２の移動通信システムコアネットワークからの指示または応答に基づいて、第１の移動通信システムコアネットワークを介して、または第２の移動通信システムコアネットワークと通信セッションを確立するかどうかを決定するように構成される。
【０１２６】
例５は、例１〜４のいずれかの通信端末であり、コアネットワーク選択ポリシーを格納するメモリを含み、通信端末が第１移動通信システムコアネットワークまたは第２移動通信システムコアネットワークへの登録手順を実行する前に、通信端末で利用可能な、コアネットワーク選択ポリシーまたはローカル設定に基づいて、移動通信システムコアネットワークに基づいて、第１の移動通信システムコアネットワークを介して、または第２の移動通信システムと通信セッションを確立するかどうかを決定するように構成される。
【０１２７】
例６は、例１〜５のいずれかの通信端末であり、セッション確立回路は、第２のモバイル通信セッションを介して通信セッションを確立するときに、第1の移動通信システムコアネットワークを介してより早く確立されたさらなる通信セッションを維持するように構成される。
【０１２８】
例７は、複数のアプリケーションを実行するアプリケーションプロセッサを備える例１〜６のいずれかの通信端末であり、決定器は、各アプリケーションについて、第１の移動通信システムコアネットワークまたは第２の移動通信システムとのアプリケーションのための通信セッションを確立するかどうかを決定するように構成される。セッション確立回路は、決定器による決定に従って、各アプリケーションの通信セッションを確立するように構成される。
【０１２９】
例８は、図１０に示す通信セッションを確立する方法である。
【０１３０】
例９は、例８の通信端末であり、登録回路は、決定器が第２の移動通信システムコアネットワークを介して通信セッションを確立すると決定した場合、通信端末を第２の移動通信システムコアネットワークに登録するように構成される。
【０１３１】
例１０は、例９の通信端末であり、第１の移動通信システムコアネットワークへの登録および第２の移動通信システムコアネットワークへの登録は、通信端末の同じサブスクリプションを使用する。
【０１３２】
例１１は、例８から１０のいずれか１つの通信端末であり、通信端末が第１の移動通信システムコアネットワークまたは第２の移動通信システムコアネットワークに通信セッション確立要求を送信する場合、第１の移動通信システムコアネットワークまたは第２の移動通信システムコアネットワークからの指示または応答に基づいて、第１の移動通信システムコアネットワークを介して、または第２の移動通信システムコアネットワークと通信セッションを確立するかどうかを決定することを含む。
【０１３３】
例１２は、例８〜１１のいずれか１つの通信端末であり、コアネットワーク選択ポリシーを格納するメモリを含み、通信端末が第1移動通信システムコアネットワークまたは第２移動通信システムコアネットワークへの登録手順を実行する前に、通信端末で利用可能なコアネットワーク選択ポリシーおよび/またはローカル設定に基づいて、第１の移動通信システムコアネットワークを介してまたは第２の移動通信システムと通信セッションを確立するかどうかを決定するように構成される。
【０１３４】
例１３は、例８〜１２のいずれか１つの通信端末であり、第２のモバイル通信セッションを介して通信セッションを確立するときに、第１の移動通信システムコアネットワークを介して以前に確立されたさらなる通信セッションを維持することを含む。
【０１３５】
例１４は、例８〜１３のいずれか１つの通信端末であり、複数のアプリケーションを実行するアプリケーションプロセッサを含み、決定器は、各アプリケーションについて、第１のモバイル通信システムのコアネットワークまたは第２の移動通信システムとのアプリケーションのための通信セッションを確立するかどうかを決定するように構成される。セッション確立回路は、決定器による決定に従って、各アプリケーションの通信セッションを確立するように構成される。
【０１３６】
さらなる例によれば、セッション確立回路は、通信端末を第２の移動通信システムコアネットワークに登録することによって、第２の移動通信システムコアネットワークを介して通信セッションを確立するように構成される。
【０１３７】
さらなる例によれば、第１の移動通信システムコアネットワークは、第２の移動通信システムコアネットワークよりも後の移動通信世代のものである。
【０１３８】
さらなる例によれば、第１の移動通信システムコアネットワークは第５世代の移動通信システムのコアネットワークであり、第２の移動通信システムコアネットワークは第４世代の移動通信システムのコアネットワークである。
【０１３９】
さらなる例によれば、決定器は、第１のコアネットワークからの指示に基づいて、第１の移動通信システムコアネットワークまたは第２の移動通信システムコアネットワークを介して通信セッションを確立するかどうかを決定するように構成される。
【０１４０】
さらなる例によれば、セッション確立回路は、第１の移動通信システムコアネットワークを介してさらなる通信セッションを確立するように構成される。
【０１４１】
さらなる例によれば、セッション確立回路は、決定器が第１の移動通信システムコアネットワークを介して通信セッションを確立すると決定した場合、第１の移動通信システムコアネットワークを介して通信セッションを確立するように構成される。
【０１４２】
さらなる例によれば、第１の移動通信システムコアネットワークおよび第２の移動通信システムコアネットワークは、異なる移動通信世代のコアネットワークである。
【０１４３】
さらなる例によれば、コアネットワーク選択ポリシーまたはローカル設定は、通信端末上で実行可能な複数のアプリケーションの各アプリケーションについて、第１の移動通信システムコアネットワークまたは第２の移動通信システムとのアプリケーションのための通信セッションを確立するかを特定する。
【０１４４】
さらなる例によれば、移動通信ネットワークの複数のコアネットワークで同時に確立される複数のセッションを処理する方法が提供され、第１のコアネットワークはネットワーク機能のセットを含み、第２のコアネットワークはネットワーク機能のセットを含む。そして、この方法は以下のことを含んでいる。
・ＵＥが移動通信ネットワークにアクセスし、第１のモバイルコアネットワークと第２のモバイルコアネットワークに接続することを可能にする無線アクセスネットワーク（ＲＡＮ）。
・ＵＥがモバイル通信ネットワークにアクセスして登録し、最初のモバイルコアネットワークまたは２番目のモバイルコアネットワーク、あるいはその両方に向けた通信セッションを確立する。
・ＵＥで利用可能な、または第１モバイルコアネットワークで利用可能な、または第２モバイルコアネットワークで利用可能な、または両方で利用可能なポリシーまたはローカル設定は、ＵＥが確立のために要求した通信セッションを別のモバイルコアネットワークに転送するかどうかを決定するために使用される。
【０１４５】
ポリシーまたは設定は、特定のアプリケーションに関連付けられた優先コアネットワークの指示を含んでいてもよい。
【０１４６】
ＵＥは、例えばデータネットワーク名（ＤＮＮ）やＡＰＮなどのターゲットネットワークの識別子を含む要求により、確立されるための通信セッションを要求してもよい。
【０１４７】
第１のコアネットワークまたは第２のコアネットワークまたは両方は、ＵＥによって要求された通信セッションのための優先コアネットワークをＵＥに指示してもよい。
【０１４８】
ＵＥがコアネットワークに登録されている間、ＵＥが利用可能なポリシーまたはロケーション設定は、第１コアネットワークまたは第２コアネットワークによって事前設定または送信される。
【０１４９】
上記の例のいずれか１つまたは複数の特徴は、他の例のいずれか１つと組み合わされてもよい。
【０１５０】
特定の態様について説明したが、添付の特許請求の範囲によって定義される本開示の態様の趣旨および範囲から逸脱することなく、形態および詳細における様々な変更を行うことができることが当業者によって理解されるだろう。したがって、その範囲は、添付の特許請求の範囲によって示され、特許請求の範囲の同等の意味および範囲内にあるすべての変更が包含されることが意図される。
【図１】
2021503200.tif 000004
【図２】
2021503200.tif 000005
【図３】
2021503200.tif 000006
【図４】
2021503200.tif 000007
【図５】
2021503200.tif 000008
【図６】
2021503200.tif 000009
【図７】
2021503200.tif 000010
【図８】
2021503200.tif 000011
【図９】
2021503200.tif 000012
【図１０】
2021503200.tif 000013
【国際調査報告】
2021503200.tif 000014
2021503200.tif 000015
2021503200.tif 000016